(57)【要約】【課題】大きさが異なりくびれのある容器でも安定して引っ掛かりなく容器を取り出すことのできるカップホルダーを提供する。【解決手段】本発明のカップホルダーは、有底筒状部６内に挿入される容器２５のホルダー本体２に対するがたつきを防止するロック手段３として、容器の側部に係止する第１保持爪１７及び第２保持爪１８を一体化させた保持爪９と、有底筒状部に形成された開口部８と対応する位置に設けられ、保持爪９をホルダー本体内部に収容する保持爪収容部１０と、保持爪９を常時付勢して第１保持爪１７を開口部より有底筒状部６内へ突出させるバネ１１と、保持爪９を保持爪収容部１０内で回動可能に支持する複数の回転軸１２，１３と、バネ１１で付勢された保持爪９の前記第１保持爪１７が前記開口部８から有底筒状部１０内に突出した定常位置を維持させるストッパー１５，１６と、を備える。【選択図】図６
2010131155.tif 000002
【特許請求の範囲】
【請求項１】
容器を収納させる凹部として形成される有底筒状部を有したホルダー本体と、前記有底筒状部の周壁の一部に形成した開口部より出没自在とされ、前記容器の側部に係止して該容器の該ホルダー本体に対するがたつきを防止するロック手段と、を備えたカップホルダーにおいて、
前記ロック手段は、
長手方向に沿って、一方を第２保持爪とし、他方を前記第２保持爪に対して突出させた第１保持爪としてこれら爪を一体に形成し、前記容器の側部に係止する保持爪と、
前記有底筒状部の前記開口部と対応する位置に設けられ、前記保持爪を前記ホルダー本体内部に収容する保持爪収容部と、
前記第１保持爪を下方にして配置した前記保持爪を、常時付勢して前記第１保持爪を前記開口部より前記有底筒状部内へ突出させるように前記保持爪収容部の底部側に設けられた付勢手段と、
少なくとも前記第１保持爪と前記第２保持爪との間に対応する第１位置と、前記第１保持爪を挟んで、前記第１位置と反対側となる位置に対応した第２位置とに、前記保持爪を前記保持爪収容部内で回動可能に支持する複数の回転軸と、
前記付勢手段で付勢された前記保持爪の前記第１保持爪が前記開口部から前記有底筒状部内に突出した定常位置を維持させるストッパーと、を備えた
ことを特徴とするカップホルダー。
【請求項２】
請求項１に記載のカップホルダーであって、
前記複数の回転軸のうち一つの回転軸を、前記保持爪の長手方向の略中央位置に設けた
ことを特徴とするカップホルダー。
【請求項３】
請求項１又は請求項２に記載のカップホルダーであって、
前記付勢手段を、前記第１保持爪及び第２保持爪とは反対側の前記保持爪の背面に当接するように設けた
ことを特徴とするカップホルダー。
【請求項４】
請求項１から請求項３の何れか１項に記載のカップホルダーであって、
前記第２位置を前記保持爪収容部の下方に位置させ、前記複数の回転軸をつなぐリンク部材を設けた
ことを特徴とするカップホルダー。
【発明の詳細な説明】
【技術分野】
【０００１】
本発明は、カップホルダーに関し、詳細には、ボトルやコップ等の容器を収容支持するためのカップホルダーに関する。
【背景技術】
【０００２】
例えば、紙コップやジュース缶等の容器を支持するカップホルダーには、容器ががたつかないようにするためのロック手段が設けられている（例えば、特許文献１等に記載）。特許文献１に記載の技術では、大きさの異なる容器に対応できるように複数の保持面を形成した保持部材を、カップホルダ本体に対して軸を中心として回動可能に取り付けると共にトーションバネで付勢して前記容器が挿入される着座筒状体に形成した開口から前記保持面を該着座筒状体内へ突出させるように構成している。
【特許文献１】実開平６−７８０６６号公報
【発明の開示】
【発明が解決しようとする課題】
【０００３】
ところで、特許文献１に記載の技術では、容器をカップホルダーから取り出す際、保持部材をカップホルダ本体に対して１つの軸に回動可能に取り付け且つトーションバネで保持部材を付勢する構造であるため、この保持部材の回転が安定せず、容器を取り出す方向とは逆向きの力が発生して引っ掛かり感が生じる。
【０００４】
特に、特許文献１に記載の技術では、大きさが小と大の中間で且つくびれのある容器をカップホルダーに挿入した場合、１軸且つフローティング構造であるが故に保持部材が初期状態に戻ると、一旦挿入した容器は抜けなくなる。
【０００５】
そこで、本発明は、大きさが異なりくびれのある容器でも安定して引っ掛かりなく容器を取り出すことのできるカップホルダーを提供することを目的とする。
【課題を解決するための手段】
【０００６】
本発明のカップホルダーは、有底筒状部内に挿入される容器のホルダー本体に対するがたつきを防止するロック手段として、容器の側部に係止する第１保持爪及び第２保持爪を一体に形成した保持爪と、有底筒状部に形成された開口部と対応する位置に設けられ、保持爪をホルダー本体内部に収容する保持爪収容部と、第１保持爪を下方にして配置した保持爪を常時付勢して、第１保持爪を開口部より有底筒状部内へ突出させるように保持爪収容部の底部側に設けた付勢手段と、保持爪を保持爪収容部内で回動可能に支持する複数の回転軸と、付勢手段で付勢された保持爪の前記第１保持爪が前記開口部から有底筒状部内に突出した定常位置を維持させるストッパーと、を備える。
【発明の効果】
【０００７】
本発明のカップホルダーによれば、保持爪の長手方向（高さ方向）に少なくとも２箇所以上の回転軸で保持爪収容部内に保持爪を回動可能に支持したので、前記保持爪の回転安定性が向上し、大きさが異なりくびれのある容器でも安定して引っ掛かりなく容器を取り出すことができる。
【発明を実施するための最良の形態】
【０００８】
以下、本発明を適用した具体的な実施形態について図面を参照しながら詳細に説明する。
【０００９】
「第１実施形態」
図１は第１実施形態のカップホルダーの全体斜視図、図２は図１のＡ−Ａ線断面図、図３は第１実施形態のカップホルダーのロック手段の分解斜視図である。
【００１０】
第１実施形態のカップホルダー１は、例えば図１に示すように、自動車のコンソールボックス等の部位に取り付けられるホルダー本体２と、このホルダー本体２に保持された容器の該ホルダー本体２に対するがたつきを防止するロック手段３と、を備えている。この実施形態では、カップホルダー１を自動車用のカップホルダーとして例示するが、本発明は自動車用に限定されるものではない。
【００１１】
ホルダー本体２は、例えば略長方形状の天板４と、その天板４の外周に設けられた側板５と、により下方を開口させた箱形状として形成されている。このホルダー本体２には、容器を収納させる凹部として形成される有底筒状部６がその中央に設けられている。有底筒状部６は、容器を出し入れするためのホルダー孔７を天板４の略中心に位置させるようにして当該天板４の背面側に設けられている。
【００１２】
有底筒状部６は、図２に示すように、容器を載せる底板６ａと、容器の周囲を取り囲む周壁６ｂと、上部を開口させたホルダー孔７と、を有した円筒体として形成されている。この有底筒状部６の周壁６ｂの一部には、後述するロック手段３を構成する保持爪の第１保持爪及び第２保持爪を出没自在とするための開口部８が形成されている。
【００１３】
ロック手段３は、図３に示すように、容器の側部に係止する保持爪９と、この保持爪９を内部に収容する保持爪収容部１０と、保持爪９を前記開口部８から有底筒状部６内へ突出するように常時付勢する付勢手段であるバネ１１と、保持爪９を保持爪収容部１０内で回動可能に支持する第１回転軸１２及び第２回転軸１３と、これら第１回転軸１２と第２回転軸１３に取り付けられたリンク部材１４と、保持爪９の位置を通常状態の定常位置に位置決め固定させる第１ストッパー１５及び第２ストッパー１６と、を備えている。
【００１４】
保持爪９は、図２の矢印Ｘで示す容器の挿入取出し方向を長手方向とし、その長手方向下側に設けられた第１保持爪１７と、上側に設けられた第２保持爪１８とを有し、これら爪を一体的に形成している。第１保持爪１７は、先端を尖らせた三角形状をなす突起として形成されている。第２保持爪１８は、保持爪９の矩形状をなす上端縁とされている。
【００１５】
保持爪収容部１０は、有底筒状部６に形成された開口部８と対応する位置であって、該有底筒状部６の周壁６ｂの外側に取り付けられている。かかる保持爪収容部１０は、前記開口部８と連通する開口１９を形成した底部２０を備えた四角形状をなす箱体として形成されている。この保持爪収容部１０の開口周縁部には、有底筒状部６の周壁６ｂに固定されるフランジ部２１が形成されている。かかる保持爪収容部１０は、保持爪９と、後述するバネ１１とリンク部材１４とを収容するに足る内部空間を有している。
【００１６】
バネ１１は、一端部１１ａを保持爪収容部１０の底部２０における内側底面２０ａに固定し、他端部１１ｂを保持爪９の背面９ａに当接させるように固定することで、前記保持爪９を常時有底筒状部６内へ突出させる方向へ付勢している。この実施形態では、付勢手段としてバネ１１を使用したが、ウレタンなどの弾性部材を使用してもよい。
【００１７】
第１回転軸１２は、保持爪９の両側面９ｂに設けられている。そして、この第１回転軸１２は、容器の挿入取出し方向となる前記保持爪９の長手方向（高さ方向）の略中央位置に突設されている。別の見方をすると、第１回転軸１２は、第１保持爪１７と第２保持爪１８との間に対応する第１位置に設けられている。一方、第２回転軸１３は、保持爪収容部１０の両側壁２２の内側壁面２２ａに内方に向けて突出するように設けられている。この第２回転軸１３が設けられる位置は、保持爪収容部１０の下側壁２３の内側壁面２３ａ近傍とされている。別の見方をすると、第２回転軸１３は、第１保持爪１７を挟んで、第１位置と反対側となる位置に対応した第２位置に設けられている。第１回転軸１２は、主に容器挿入時の保持爪９の回転に寄与し、第２回転軸１３は、主に容器の取り出し時の保持爪９の回転に寄与する。これら第１回転軸１２と第２回転軸１３の機能については、後述する動作説明で詳述するものとする。
【００１８】
リンク部材１４は、両端を円弧形状とした平面視長方形状をなし、その両端近傍に軸係合孔２４をそれぞれ形成している。一方の軸係合孔２４には、保持爪９の第１位置に設けた第１回転軸１２が係合する。他方の軸係合孔２４には、保持爪収容部１０の第２位置に設けた第２回転軸１３が係合する。このようにしてリンク部材１４が取り付けられることで、前記保持爪９は、保持爪収容部１０内において回動可能に収容保持されることになる。
【００１９】
第１ストッパー１５は、保持爪収容部１０の開口１９近傍における内側壁面２２ａに設けられている。本実施形態では、第１ストッパー１５を、矩形状をなす突起として保持爪収容部１０の内方へ突出させている。この第１ストッパー１５の位置は、第１回転軸１２の近傍部としている。かかる第１ストッパー１５は、バネ１１で付勢される保持爪９の定常位置（初期状態位置）を規制するためのストッパーであり、前記リンク部材１４の第１回転軸１２近傍部位と接触する。第１ストッパー１５が無いと、保持爪９は、バネ１１に押されて第２回転軸１３を中心としてリンク部材１４と共に回動し、保持爪９全体が有底筒状部６内へ飛び出してしまう。
【００２０】
第２ストッパー１６は、保持爪９の両側面９ｂに設けられている。この第２ストッパー１６は、バネ１１の他端１１ｂが取り付けられる位置と対応する高さ位置に前記側面９ｂから突設されている。また、第２ストッパー１６は、図２に示す如くリンク部材１４を挟んで第１ストッパー１６と反対側の位置に設けられている。かかる第２ストッパー１６は、バネ１１で付勢される保持爪９の定常位置を規制するためのストッパーであり、前記リンク部材１４の高さ方向中央より少し上の部位と接触する。第２ストッパー１６が無いと、保持爪９は、第１回転軸１２を中心として回転してしまう。
【００２１】
以上のように構成されたカップホルダー１のロック手段の定常状態（初期状態）は、図２で示すように、第１ストッパー１５と第２ストッパー１６がリンク部材１４を両側から挟み込むように当接して前記保持爪９の回動をロックした状態とし、また、保持爪９に形成した第１保持爪１７の先端を有底筒状部６の開口部８からその内方へ突出させた状態としている。このロック手段の初期状態では、有底筒状部６の内部には前記保持爪９のうち第１保持爪１７のみが突出していることになる。
【００２２】
次に、カップホルダー１に容器を挿入したときのロック手段の動作について説明する。
【００２３】
図４は第１実施形態のカップホルダーに収容保持される各種容器を示す正面図、図５〜図９は第１実施形態のカップホルダーに容器を挿入保持させる一連の工程を示す断面図である。
【００２４】
カップホルダー１に収容する容器２５は、図４に示すように、直径が大きいものから小さいものまで多種多様で、また、胴体部にくびれのあるものもある。さらに、容器２５は、ポリエチレンテレフタレートなどの樹脂材からなるボルトやアルミ或いはスチールなどの金属材料からなる缶など複数種類ある。これらの形状及び材料違いの複数ある容器２５を、本実施形態のカップホルダー１で保持する。
【００２５】
この実施形態では、図５に示すように、底部側の直径Ｒ１が小さい側部小径部２５ａとその直径よりも大きい直径Ｒ２とされた側部大径部２５ｂとを有し、さらにそれらの間に窪み２５ｃを有した容器２５をカップホルダー１に挿入するものとする。容器２５をカップホルダー１のホルダー孔７に挿入すると、最初に、容器２５の底部２５ｄが、有底筒状部６の開口部８からその内部へ突出する第１保持爪１７に接触する。
【００２６】
この状態から容器２５をさらに奥へと挿入すると、図６に示すように、側部小径部２５ａが第１保持爪１７に接する。この時、側部小径部２５ａが第１保持爪１７に接した際に発生する力Ｆ１（前記保持爪９が受ける力Ｆ１）によって、第１位置に設けられた第１回転軸１２を回転中心として保持爪９が同図中矢印で示すように反時計回り方向に回転する。このとき、保持爪９は、第１ストッパー１５にリンク部材１４が接触した状態にあるから第１回転軸１２を回転中心として回転することになるが、第２位置に設けられた第２回転軸１３を回転中心としては回転はしない。
【００２７】
このように、保持爪９が第１回転軸１２を中心として回転することで、第２保持爪１８は、側部小径部２５ａに接触する。図６の状態では、第１保持爪１７が容器２５と接触する接触位置Ｈ１は図５の保持爪初期状態での接触位置Ｈ２よりも低い位置となるが、第２保持爪１８が容器２５と接触する接触位置Ｈ３は保持爪初期状態の接触位置Ｈ２よりも高い位置となる。このため、側部小径部２５ａのみを有する容器２５をカップホルダー１に挿入する場合でも、容器２５の比較的高い位置で当該容器２５を保持爪９でロックすることができるようになり、カップホルダー１内で容器２５が大きく傾くことを防止できる。
【００２８】
そして、この状態からさらに容器２５をその奥へと挿入すると、側部小径部２５ａから受ける力Ｆ１の作用が無くなり、保持爪９は、バネ１１に付勢されて第１回転軸１２を中心として元の状態に戻る。そして、図７に示すように、保持爪９は定常位置（初期状態）に戻り、第１保持爪１７が容器２５の窪み２５ｃに入り込む。容器２５をこの状態からさらに奥へと挿入すると、図８に示すように、第１保持爪１７が窪み２５ｃに沿って摺接する。
【００２９】
図８の状態から容器２５をさらに奥へと挿入すると、保持爪９は、側部大径部２５ｂが第１保持爪１７に接した際に発生する力Ｆ１（前記保持爪９が受ける力Ｆ１）によって、第１回転軸１２を回転中心として保持爪９が同図中矢印で示すように時計回り方向に回転する。また、保持爪９は、この保持爪９の回転により第２保持爪１８が側部大径部２５ｂに接触する。これにより、保持爪９は、側部大径部２５ｂから第１保持爪１７と第２保持爪１８の両方に対して容器２５の挿入取出し方向Ｘと直交する方向（バネ１１が取り付けられる水平方向と同一方向）に力Ｆ２を受けることになる。そのため、保持爪９は、第２回転軸１３を回転中心としてリンク部材１４が同図中矢印で示すように時計回り方向に回転し、そのリンク部材１４と共に保持爪収容部１０の底部２０へと押し込まれる。
【００３０】
前記保持爪９が底部２０へと押し込まれることで、バネ１１は圧縮され、そのバネ１１の反力を受けて保持爪９が容器２５を有底筒状部６の内部でがたつくことなくロックする。この時、図９の状態では、図６と同様に第１保持爪１７が容器２５と接触する接触位置Ｈ１は保持爪初期状態での接触位置Ｈ２よりも低い位置となるが、第２保持爪１８が容器２５と接触する接触位置Ｈ３は保持爪初期状態の接触位置Ｈ２よりも高い位置となる。このため、側部大径部２５ｂのみを有する容器２５をカップホルダー１に挿入する場合でも、容器２５の比較的高い位置で当該容器２５を保持爪９でロックすることができるようになり、カップホルダー１内で容器２５が大きく傾くことを防止できる。
【００３１】
次に、カップホルダー１から容器２５を取り出すときのロック手段の動作について説明する。
【００３２】
図１０〜図１４は第１実施形態のカップホルダーから容器を取り出す一連の工程を示す断面図である。
【００３３】
図１０の容器ロック状態から容器２５をカップホルダー１より取り出すには、ホルダー孔７より外方に突出している部位をつかんで容器２５を持ち上げる。保持爪９に形成された第１保持爪１７が窪み２５ｃに入り込むと、図１１に示すように、バネ１１は圧縮状態から復帰し、リンク部材１４及び保持爪９を定常状態（初期状態）に戻す。図１１の状態から容器２５をさらに持ち上げると、図１２に示すように、第１保持爪１７が窪み２５ｃから抜け出始める。
【００３４】
そして、容器２５をさらに持ち上げると、図１３に示すように、容器２５の側部小径部２５ａが第１保持爪１７に接触する。このとき、第１保持爪１７は、側部小径部２５ａから同図中矢印で示すように力Ｆ３を受ける。この力Ｆ３を第１保持爪１７が受けることで、保持爪９は、第２ストッパー１６にリンク部材１４を当接させた状態を維持しながら第２回転軸１３を回転中心としてリンク部材１４と共に回転する。このとき、第１保持爪１７は、側部小径部２５ａの外周面に沿って移動する。
【００３５】
この図１３の状態からさらに容器２５を持ち上げると、図１４に示すように、第１保持爪１７が側部小径部２５ａから外れて保持爪９よるロック状態が開放される。これで、容器２５は、カップホルダー１から取り出せる。容器２５が取り出された後は、保持爪９は、元の定常状態に戻る。
【００３６】
以上のように構成されたカップホルダー１によれば、保持爪９の長手方向（高さ方向）に少なくとも２箇所以上の回転軸１２、１３で保持爪収容部１０内に保持爪９を回動可能に支持したので、１つの回転軸で保持爪９の回動を保持する場合に比べて前記保持爪９の回転安定性が向上し、大きさが異なりくびれのある容器２５でも安定して引っ掛かりなく容器２５を取り出すことができる。
【００３７】
また、本実施形態のカップホルダー１によれば、容器２５の挿入取出し方向となる保持爪９の長手方向の略中央位置に第１回転軸１２を設けたので、中央位置から外れた端に回転軸を設けた場合に比べて前記保持爪９を安定して保持することができる。
【００３８】
また、本実施形態のカップホルダー１によれば、第１保持爪１７及び第２保持爪１８とは反対側の保持爪９の背面９ａに当接するようにバネ１１を設けたので、前記保持爪９を容易に回転軸を中心として回転させることができ、安定した保持力と抵抗の少ない容器２５の取り出し性を両立することができる。
【００３９】
また、本実施形態のカップホルダー１によれば、保持爪９に設けた第１回転軸１２と保持爪収容部１０に設けた第２回転軸１３をつなぐようにリンク部材１４を取り付けたので、このリンク部材１４によって保持爪９の位置が規制され、該保持爪９を安定して回動させることができる。
【００４０】
また、本実施形態のカップホルダー１によれば、第１保持爪１７と第２保持爪１８の２つの爪で容器２５を係止するので、容器２５をホルダー本体２に対してがたつきなく保持させることができる。
【００４１】
「第２実施形態」
第２実施形態では、第１実施形態と異なる構成部分のみを説明するものとし、共通部分に関しては同一の符号を付してその説明は省略するものとする。図１５は第２実施形態のカップホルダーの断面図、図１６は第２実施形態のカップホルダーのロック手段の分解斜視図である。
【００４２】
第２実施形態の保持爪９には、第２保持爪１８と対応する部位に背面９ａから外方へ突出する延在部２６が設けられている。この延在部２６の両側面９ｂには、第２回転軸１３が突設されている。また、保持爪９には、第１実施形態と同様、容器２５の挿入取出し方向Ｘとなる該保持爪９の長手方向（高さ方向）の略中央位置に第１回転軸１２が突設されている。また、保持爪９には、該保持爪９の高さ方向の下端位置に第２ストッパー１６が突設されている。第２ストッパー１６は、第１回転軸１２及び第２回転軸１３と同様、高さの低い円柱体として形成されている。第１ストッパー１５は、保持爪収容部１０の開口１９下端両側部に設けられ、該開口１９の幅を狭めるようにして開口高さ略中央位置まで形成されている。
【００４３】
保持爪収容部１０には、保持爪９を回動可能に支持するための第１カム溝２７及び第２カム溝２８が形成されている。第１カム溝２７は、容器２５の挿入取出し方向Ｘと直交する方向に長孔として前記保持爪収容部１０の両側壁２２に形成されている。この第１カム溝２７には、前記第１回転軸１２が挿入係合する。第２カム溝２８は、容器２５の挿入取出し方向Ｘと直交する上端水平面２８ａ及び下端水平面２８ｂと、開口１９から底部２０に向かって下方へ傾斜する傾斜面２８ｃと、垂直面２８ｄとを有している。保持爪収容部１０の開口１９から底部２０に向かって入口側に傾斜面２８ｃが形成され、その傾斜面２８ｃの後方に下端水平面２８ｂが形成されている。この第２カム溝２８には、前記第２回転軸１３が挿入係合する。
【００４４】
以上のように構成されたカップホルダー１のロック手段の定常状態（初期状態）は、図１５で示すように、第１ストッパー１５に第２ストッパー１６が当接して前記バネ１１の付勢力により保持爪９が回転不可能な状態にある。また、この定常状態では、第１保持爪１７のみが有底筒状部６の内部に突出した状態にある。また、この初期状態では、第１回転軸１２が第１カム溝２７の開口１９側の端部２７ａに接触した位置にあり、第２回転軸１３が第２カム溝２８の傾斜面２８ｃの途中部位に接した位置にある。
【００４５】
次に、カップホルダー１に容器２５を挿入したときのロック手段の動作について説明する。
【００４６】
図１７〜図２１は第２実施形態のカップホルダーに容器を挿入保持させる一連の工程を示す断面図である。
【００４７】
容器２５をカップホルダー１のホルダー孔７に挿入すると、図１７に示すように、容器２５の底部２５ｄが、有底筒状部６の開口部８からその内部へ突出する第１保持爪１７に接触する。この状態から容器２５をさらに奥へと挿入すると、図１８に示すように、側部小径部２５ａが第１保持爪１７に接する。この時、側部小径部２５ａが第１保持爪１７に接した際に発生する力Ｆ１（前記保持爪９が受ける力Ｆ１）によって、第１回転軸１２を回転中心として保持爪９が同図中矢印で示すように反時計回り方向に回転する。この保持爪９の回転によって、第１ストッパー１５から第２ストッパー１６が離れると共に第２回転軸１３が傾斜面２８ｃを上って開口１９側の端部２８ｅに接触する。
【００４８】
このように、保持爪９が第１回転軸１２を中心として回転することで、第２保持爪１８は、側部小径部２５ａに接触する。図１８の状態では、第１保持爪１７が容器２５と接触する接触位置Ｈ１は図１７の保持爪初期状態での接触位置Ｈ２よりも低い位置となるが、第２保持爪１８が容器２５と接触する接触位置Ｈ３は保持爪初期状態の接触位置Ｈ２よりも高い位置となる。このため、側部小径部２５ａのみを有する容器２５をカップホルダー１に挿入する場合でも、容器２５の比較的高い位置で当該容器２５を保持爪９でロックすることができるようになり、カップホルダー１内で容器２５が大きく傾くことを防止できる。
【００４９】
そして、この状態からさらに容器２５をその奥へと挿入すると、側部小径部２５ａから受ける力Ｆ１の作用が無くなり、保持爪９は、バネ１１に付勢されて第１回転軸１２を中心として元の状態に戻る。そして、図１９に示すように、保持爪９は定常状態に戻り、第１保持爪１７が容器２５の窪み２５ｃに入り込む。容器２５をこの状態からさらに奥へと挿入すると、図２０に示すように、第１保持爪１７が窪み２５ｃに沿って摺接する。
【００５０】
図２０の状態から容器２５をさらに奥へと挿入すると、保持爪９は、側部大径部２５ｂが第１保持爪１７に接した際に発生する力Ｆ１（前記保持爪９が受ける力Ｆ１）によって、図２１に示すように第１回転軸１２を回転中心として保持爪９が同図中矢印で示すように反時計回り方向に回転する。また、保持爪９は、この保持爪９の回転により第２保持爪１８が側部大径部２５ｂに接触する。これにより、保持爪９は、側部大径部２５ｂから第１保持爪１７と第２保持爪１８の両方に対して容器２５の挿入取出し方向Ｘと直交する方向（バネ１１が取り付けられる水平方向と同一方向）に力Ｆ２を受けることになる。そのため、保持爪９は、第１回転軸１２をガイドとして第１カム溝２７に沿って保持爪収容部１０の底部２０へと水平移動される。
【００５１】
前記保持爪９が底部２０へと押し込まれることで、バネ１１は圧縮され、そのバネ１１の反力を受けて保持爪９が容器２５を有底筒状部６の内部でがたつくことなくロックする。この時、図２１の状態では、図１８と同様に第１保持爪１７が容器２５と接触する接触位置Ｈ１は保持爪初期状態での接触位置Ｈ２よりも低い位置となるが、第２保持爪１８が容器２５と接触する接触位置Ｈ３は保持爪初期状態の接触位置Ｈ２よりも高い位置となる。このため、側部大径部２５ｂのみを有する容器２５をカップホルダー１に挿入する場合でも、容器２５の比較的高い位置で当該容器２５を保持爪９でロックすることができるようになり、カップホルダー１内で容器２５が大きく傾くことを防止できる。
【００５２】
次に、カップホルダー１から容器２５を取り出すときのロック手段の動作について説明する。
【００５３】
図２２〜図２６は第２実施形態のカップホルダーから容器を取り出す一連の工程を示す断面図である。
【００５４】
図２２の容器ロック状態から容器２５をカップホルダー１より取り出すには、ホルダー孔７より外方に突出している部位をつかんで容器２５を持ち上げる。保持爪９に形成された第１保持爪１７が窪み２５ｃに入り込むと、図２３に示すように、バネ１１は圧縮状態から復帰し、保持爪９を定常状態に戻す。図２３の状態から容器２５をさらに持ち上げると、図２４に示すように、第１保持爪１７が窪み２５ｃから抜け出始める。
【００５５】
そして、容器２５をさらに持ち上げると、図２５に示すように、容器２５の側部小径部２５ａが第１保持爪１７に接触する。このとき、第１保持爪１７は、側部小径部２５ａから同図中矢印で示すように力Ｆ３を受ける。この力Ｆ３を第１保持爪１７が受けることで、保持爪９は、第２ストッパー１６を第１ストッパー１５に当接させた状態で第１回転軸１２が第１カム溝２７に案内されると共に第２回転軸１３が第２カム溝２８に案内されて回転する。具体的には、第１回転軸１２は、第１カム溝２７の奥側の端部２７ｂまで移動し、第２回転軸１３は、傾斜面２８ｃを下って下端水平面２８ｂの奥側の端部まで移動する。また、第２ストッパー１６は、第１ストッパー１５に対して接触状態を保持しながらこの第１ストッパー１５の壁を上へと登る。
【００５６】
この図２５の状態からさらに容器２５を持ち上げると、図２６に示すように、第１保持爪１７が側部小径部２５ａから外れて保持爪９よるロック状態が開放される。これで、容器２５は、カップホルダー１から取り出せる。容器２５が取り出された後は、保持爪９は、元の定常状態に戻る。
【００５７】
以上のように構成された第２実施形態のカップホルダー１によれば、第１実施形態と同様、保持爪９の長手方向（高さ方向）に少なくとも２箇所以上の回転軸１２、１３で保持爪収容部１０内に保持爪９を回動可能に支持したので、前記保持爪９の回転安定性が向上し、大きさが異なりくびれのある容器２５でも安定して引っ掛かりなく容器２５を取り出すことができる。また、第２実施形態のカップホルダー１では、この他、第１実施形態のカップホルダー１と同様の作用効果を得ることができる。
【００５８】
特に、第２実施形態のカップホルダー１では、第１実施形態で使用したリンク部材１４が不要であるため、ロック手段を構成する部品を減らせると共に組立工数を低減することができる。
【００５９】
「第３実施形態」
第３実施形態では、第２実施形態と異なる構成部分のみを説明するものとし、共通部分に関しては同一の符号を付してその説明は省略するものとする。図２７は第３実施形態のカップホルダーの断面図、図２８は第３実施形態のカップホルダーのロック手段の分解斜視図である。
【００６０】
第３実施形態の保持爪９には、第２実施形態と同様、容器２５の挿入取出し方向Ｘとなる該保持爪９の長手方向（高さ方向）の略中央位置に第１回転軸１２が突設され、さらにその下端位置に第２回転軸１３が突設されている。第１回転軸１２と第２回転軸１３は、保持爪９の長手方向において同一線上に設けられている。第３実施形態の保持爪９には、第２実施形態で形成した延在部２６、第１ストッパー１５及び第２ストッパー１６が形成されていない。
【００６１】
保持爪収容部１０には、保持爪９を回動可能に支持するための第１カム溝２７及び第２カム溝２８が形成されている。第１カム溝２７は、第２実施形態と同様、容器２５の挿入取出し方向Ｘと直交する方向に長孔として前記保持爪収容部１０の両側壁２２に形成されている。この第１カム溝２７には、前記第１回転軸１２が挿入係合する。第２カム溝２８は、容器２５の挿入取出し方向Ｘと直交する上端水平面２８ａ及び下端水平面２８ｂと、円弧面２８ｃと、垂直面２８ｄとを有している。保持爪収容部１０の開口１９付近に円弧面２８ｃが形成され、その後方に垂直面２８ｄが形成されている。この第２カム溝２８には、前記第２回転軸１３が挿入係合する。
【００６２】
第３実施形態のカップホルダー１では、第２実施形態の第１ストッパー１５及び第２ストッパー１６はなく、前記第１回転軸１２及び第２回転軸１３がそれぞれの第１カム溝２７、第２カム溝２８の端部に接触することでストッパー代わりとなっている。
【００６３】
以上のように構成されたカップホルダー１のロック手段の定常状態は、図２７で示すように、第１回転軸１２が第１カム溝２７の開口１９側の端部２７ａに当接すると共に第２回転軸１３が第２カム溝２８の開口１９側の円弧面２８ｃに当接して前記バネ１１の付勢力により保持爪９が回転不可能な状態にある。また、この初期状態では、第１保持爪１７のみが有底筒状部６の内部に突出した状態にある。
【００６４】
次に、カップホルダー１に容器２５を挿入したときのロック手段の動作について説明する。
【００６５】
図２９〜図３３は第３実施形態のカップホルダーに容器を挿入保持させる一連の工程を示す断面図である。
【００６６】
容器２５をカップホルダー１のホルダー孔７に挿入すると、図２９に示すように、容器２５の底部２５ｄが、有底筒状部６の開口部８からその内部へ突出する第１保持爪１７に接触する。この状態から容器２５をさらに奥へと挿入すると、図３０に示すように、側部小径部２５ａが第１保持爪１７に接する。この時、側部小径部２５ａが第１保持爪１７に接した際に発生する力Ｆ１（前記保持爪９が受ける力Ｆ１）によって、第１回転軸１２を回転中心として保持爪９が同図中矢印で示すように反時計回り方向に回転する。この保持爪９の回転によって、第２回転軸１３が第２カム溝２８の中央寄りの位置へ移動する。
【００６７】
このように、保持爪９が第１回転軸１２を中心として回転することで、第２保持爪１８は、側部小径部２５ａに接触する。図３０の状態では、第１保持爪１７が容器２５と接触する接触位置Ｈ１は図２９の保持爪初期状態での接触位置Ｈ２よりも低い位置となるが、第２保持爪１８が容器２５と接触する接触位置Ｈ３は保持爪初期状態の接触位置Ｈ２よりも高い位置となる。このため、側部小径部２５ａのみを有する容器２５をカップホルダー１に挿入する場合でも、容器２５の比較的高い位置で当該容器２５を保持爪９でロックすることができるようになり、カップホルダー１内で容器２５が大きく傾くことを防止できる。
【００６８】
そして、この状態からさらに容器２５をその奥へと挿入すると、側部小径部２５ａから受ける力Ｆ１の作用が無くなり、保持爪９は、バネ１１に付勢されて第１回転軸１２を中心として元の状態に戻る。そして、図３１に示すように、保持爪９は定常状態に戻り、第１保持爪１７が容器２５の窪み２５ｃに入り込む。容器２５をこの状態からさらに奥へと挿入すると、図３２に示すように、第１保持爪１７が窪み２５ｃに沿って摺接する。
【００６９】
図３２の状態から容器２５をさらに奥へと挿入すると、保持爪９は、側部大径部２５ｂが第１保持爪１７に接した際に発生する力Ｆ１（前記保持爪９が受ける力Ｆ１）によって、図３３に示すように第１回転軸１２を回転中心として保持爪９が同図中矢印で示すように反時計回り方向に回転する。また、保持爪９は、この保持爪９の回転により第２保持爪１８が側部大径部２５ｂに接触する。これにより、保持爪９は、側部大径部２５ｂから第１保持爪１７と第２保持爪１８の両方に対して容器挿入方向と直交する方向（バネ１１が取り付けられる水平方向と同一方向）に力Ｆ２を受けることになる。そのため、保持爪９は、第１回転軸１２が第１カム溝２７に沿うと共に第２回転軸１３が第２カム溝２８に沿って前記保持爪収容部１０の底部２０へと水平移動される。
【００７０】
前記保持爪９が底部２０へと押し込まれることで、バネ１１は圧縮され、そのバネ１１の反力を受けて保持爪９が容器２５を有底筒状部６の内部でがたつくことなくロックする。この時、図３３の状態では、図３０と同様に第１保持爪１７が容器２５と接触する接触位置Ｈ１は保持爪初期状態での接触位置Ｈ２よりも低い位置となるが、第２保持爪１８が容器２５と接触する接触位置Ｈ３は保持爪初期状態の接触位置Ｈ２よりも高い位置となる。このため、側部大径部２５ｂのみを有する容器２５をカップホルダー１に挿入する場合でも、容器２５の比較的高い位置で当該容器２５を保持爪９でロックすることができるようになり、カップホルダー１内で容器２５が大きく傾くことを防止できる。
【００７１】
次に、カップホルダー１から容器２５を取り出すときのロック手段の動作について説明する。
【００７２】
図３４〜図３８は第３実施形態のカップホルダーから容器を取り出す一連の工程を示す断面図である。
【００７３】
図３４の容器ロック状態から容器２５をカップホルダー１より取り出すには、ホルダー孔７より外方に突出している部位をつかんで容器２５を持ち上げる。保持爪９に形成された第１保持爪１７が窪み２５ｃに入り込むと、図３５に示すように、バネ１１は圧縮状態から復帰し、保持爪９を定常状態に戻す。図３５の状態から容器２５をさらに持ち上げると、図３６に示すように、第１保持爪１７が窪み２５ｃから抜け出始める。
【００７４】
そして、容器２５をさらに持ち上げると、図３７に示すように、容器２５の側部小径部２５ａが第１保持爪１７に接触する。このとき、第１保持爪１７は、側部小径部２５ａから同図中矢印で示すように力Ｆ３を受ける。この力Ｆ３を第１保持爪１７が受けることで、保持爪９は、第２カム溝２８の円弧面２８ｃに当接させた第２回転軸１３を回転中心として時計回り方向に回転する。このとき、第１回転軸１２は、第１カム溝２７に沿って移動し、奥側の端部２７ｂに接触する。
【００７５】
この図３７の状態からさらに容器２５を持ち上げると、図３８に示すように、第１保持爪１７が側部小径部２５ａから外れて保持爪９よるロック状態が開放される。これで、容器２５は、カップホルダー１から取り出せる。容器２５が取り出された後は、保持爪９は、元の定常状態に戻る。
【００７６】
以上のように構成された第３実施形態のカップホルダー１によれば、第１、２実施形態と同様、保持爪９の長手方向（高さ方向）に少なくとも２箇所以上の回転軸１２、１３で保持爪収容部１０内に保持爪９を回動可能に支持したので、前記保持爪９の回転安定性が向上し、大きさが異なりくびれのある容器２５でも安定して引っ掛かりなく容器２５を取り出すことができる。また、第３実施形態のカップホルダー１では、この他、第１実施形態のカップホルダー１と同様の作用効果を得ることができる。
【００７７】
特に、第３実施形態のカップホルダー１では、第２実施形態で使用した第１ストッパー１５及び第２ストッパー１６が不要であるため、ロック手段を構成する部品を減らせると共に組立工数を低減することができる。
【００７８】
「第４実施形態」
第４実施形態では、第１実施形態と異なる構成部分のみを説明するものとし、共通部分に関しては同一の符号を付してその説明は省略するものとする。図３９は第４実施形態のカップホルダーの断面図、図４０は第４実施形態のカップホルダーのロック手段の分解斜視図である。
【００７９】
第４実施形態の保持爪９には、第１実施形態と同様に第１保持爪１７及び第２保持爪１８が形成され、容器２５の挿入取出し方向Ｘとなる該保持爪９の長手方向（高さ方向）の略中央位置に第１回転軸１２が突設されている。また、保持爪９には、下面９ｃから高さ方向上に向かってコ字状をなすスリット２９が形成されている。第１回転軸１２には、一端側を保持爪収容部１０の両側壁２２の上方部位に軸支させる第２回転軸１３を有した、第１リンク部材３０の他端側が回動可能に取り付けられている。スリット２９には、保持爪収容部３０の両側壁２２の下方部位に一端側を軸支させる第３回転軸３１を有した、第２リンク部材３２の他端側が係合するようになっている。
【００８０】
第１リンク部材３０は、保持爪９の両側にそれぞれ配置される２つのリンク部３０Ａ、３０Ａと、これらを連結させる連結部３０Ｂと、を有した平面視略Ｈ形状とされている。リンク部３０Ａは、両端を円弧形状とした平面視長方形状をなし、一端側に第２回転軸１３を突設させると共に他端側に第１回転軸１２を軸支させる軸係合孔３３を有している。第２回転軸１３は、保持爪収容部１０の側壁２２の上方部位に形成された軸支孔３４に回動可能に取り付けられる。
【００８１】
第２リンク部材３２は、２つのリンク部３２Ａ、３２Ａと、これらを連結させる連結部３２Ｂと、を有した平面視略コ字状とされている。リンク部３２Ａは、両端を円弧形状とした平面視長方形状をなし、一端側に第３回転軸３１を突設させている。連結部３２Ｂは、２つのリンク部３２Ａ、３２Ａの他端側を連結させる円柱体（シャフト）として形成されている。第３回転軸３１は、保持爪収容部１０の側壁２２の下方部位に形成された軸支孔３５に回動可能とされている。連結部３２Ｂは、保持爪９に形成されたスリット２９内に嵌入され、このスリット２９をガイドとして移動する。
【００８２】
保持爪収容部１０には、保持爪９の定常状態を位置決めするための第１ストッパー１５と第２ストッパー１６とが設けられている。第１ストッパー１５は、保持爪収容部１０の開口１９上端近傍の両側側部に設けられ、該開口１９の幅を狭めるように形成されている。この第１ストッパー１５には、第１リンク部材３０が接触するようになっている。第２ストッパー１６は、保持爪収容部１０の開口１９下端の両側側部に設けられ、該開口１９の幅を狭めるように形成されている。この第２ストッパー１６には、第２リンク部材３２が接触するようになっている。
【００８３】
また、保持爪収容部１０には、保持爪９を常時付勢して第１保持爪１７を開口部８より有底筒状部６内へ突出させる付勢手段である第１バネ１１と第２バネ３６が設けられている。第１バネ１１は、一端部１１ａを保持爪収容部１０の底部２０における内側底面２０ａに固定し、他端部１１ｂを第１リンク部材３０に固定することで、前記第１リンク部材３０を常時前方へ付勢している。第１バネ１１の第１リンク部材３０に対する固定部位は、第２回転軸１３の近傍であって前記第１ストッパー１５と反対側の部位である。第２バネ３６は、一端部３６ａを保持爪収容部１０の底部２０における内側底面２０ａに固定し、他端部３６ｂを第２リンク部材３２に固定することで、前記第２リンク部材３２を常時前方へ付勢している。第２バネ３６の第２リンク部材３２に対する固定部位は、第３回転軸３１の近傍であって前記第２ストッパー１６と反対側の部位である。
【００８４】
以上のように構成されたカップホルダー１のロック手段の定常状態は、図３９で示すように、第１ストッパー１５に第１リンク部材３０が当接すると共に第２ストッパー１６に第２リンク部材３２が当接して前記第１バネ１１及び第２バネ３６の付勢力により前記保持爪９が回転不可能な状態にある。また、この定常態では、第１保持爪１７のみが有底筒状部６の内部に突出した状態にある。また、この定常状態では、第１回転軸１２と第２回転軸１３と第３回転軸３１が共に容器２５の挿入取出し方向Ｘの同一線上にある。
【００８５】
次に、カップホルダー１に容器２５を挿入したときのロック手段の動作について説明する。
【００８６】
図４１〜図４５は第４実施形態のカップホルダーに容器を挿入保持させる一連の工程を示す断面図である。
【００８７】
容器２５をカップホルダー１のホルダー孔７に挿入すると、図４１に示すように、容器２５の底部２５ｄが、有底筒状部６の開口部８からその内部へ突出する第１保持爪１７に接触する。この状態から容器２５をさらに奥へと挿入すると、図４２に示すように、側部小径部２５ａが第１保持爪１７に接する。この時、側部小径部２５ａが第１保持爪１７に接した際に発生する力Ｆ１（前記保持爪９が受ける力Ｆ１）によって、第１回転軸１２を回転中心として保持爪９が同図中矢印で示すように反時計回り方向に回転する。また、保持爪９が第１回転軸１２を中心として回転することで、スリット２９内に係合する連結部３２Ｂがこのスリット２９の開口側へ移動する。第２リンク部材３２は、前記連結部３２Ｂの移動に伴い、前記第３回転軸３１を回転中心として時計回り方向へ傾き、第２ストッパー１６から離れる。
【００８８】
このように、保持爪９が第１回転軸１２を中心として回転することで、第２保持爪１８は、側部小径部２５ａに接触する。図４２の状態では、第１保持爪１７が容器２５と接触する接触位置Ｈ１は図４１の保持爪初期状態での接触位置Ｈ２よりも低い位置となるが、第２保持爪１８が容器２５と接触する接触位置Ｈ３は保持爪初期状態の接触位置Ｈ２よりも高い位置となる。このため、側部小径部２５ａのみを有する容器２５をカップホルダー１に挿入する場合でも、容器２５の比較的高い位置で当該容器２５を保持爪９でロックすることができるようになり、カップホルダー１内で容器２５が大きく傾くことを防止できる。
【００８９】
そして、この状態からさらに容器２５をその奥へと挿入すると、側部小径部２５ａから受ける力Ｆ１の作用が無くなり、保持爪９は、第２バネ３６に付勢されて第１回転軸１２を中心として元の状態に戻る。具体的には、第２リンク部材３２は、第２バネ３６に付勢されて第３回転軸３１を回転中心として反時計回り方向へ回転する。これにより、第２リンク部材３２の連結部３２Ｂは、スリット２０の開口側から奥へと移動して前記保持爪９を第１回転軸１２を回転中心として元の状態に回動させる。そして、図４３に示すように、保持爪９は定常状態に戻り、第１保持爪１７が容器２５の窪み２５ｃに入り込む。容器２５をこの状態からさらに奥へと挿入すると、図４４に示すように、第１保持爪１７が窪み２５ｃに沿って摺接する。
【００９０】
図４４の状態から容器２５をさらに奥へと挿入すると、保持爪９は、側部大径部２５ｂが第１保持爪１７に接した際に発生する力Ｆ１（前記保持爪９が受ける力Ｆ１）によって、図４５に示すように第１回転軸１２を回転中心として保持爪９が同図中矢印で示すように反時計回り方向に回転する。また、保持爪９は、この保持爪９の回転により第２保持爪１８が側部大径部２５ｂに接触する。これにより、保持爪９は、側部大径部２５ｂから第１保持爪１７と第２保持爪１８の両方に対して容器２５の挿入取出し方向Ｘと直交する方向（バネ１１が取り付けられる水平方向と同一方向）に力Ｆ２を受けることになる。その結果、保持爪９は、保持爪収容部１０の底部２０側へ押される。
【００９１】
前記保持爪９が底部２０へと押し込まれることで、第１バネ１１及び第２バネ３６は圧縮され、その第１バネ１１及び第２バネ３６の反力を受けて保持爪９が容器２５を有底筒状部６の内部でがたつくことなくロックする。この時、図４５の状態では、図４２と同様に第１保持爪１７が容器２５と接触する接触位置Ｈ１は保持爪初期状態での接触位置Ｈ２よりも低い位置となるが、第２保持爪１８が容器２５と接触する接触位置Ｈ３は保持爪初期状態の接触位置Ｈ２よりも高い位置となる。このため、側部大径部２５ｂのみを有する容器２５をカップホルダー１に挿入する場合でも、容器２５の比較的高い位置で当該容器２５を保持爪９でロックすることができるようになり、カップホルダー１内で容器２５が大きく傾くことを防止できる。
【００９２】
次に、カップホルダー１から容器２５を取り出すときのロック手段の動作について説明する。
【００９３】
図４６〜図５０は第４実施形態のカップホルダーから容器を取り出す一連の工程を示す断面図である。
【００９４】
図４６の容器ロック状態から容器２５をカップホルダー１より取り出すには、ホルダー孔７より外方に突出している部位をつかんで容器２５を持ち上げる。保持爪９に形成された第１保持爪１７が窪み２５ｃに入り込むと、図４７に示すように、第１バネ１１及び第２バネ３６は圧縮状態から復帰し、保持爪９を定常状態に戻す。図４７の状態から容器２５をさらに持ち上げると、図４８に示すように、第１保持爪１７が窪み２５ｃから抜け出始める。
【００９５】
そして、容器２５をさらに持ち上げると、図４９に示すように、容器２５の側部小径部２５ａが第１保持爪１７に接触する。このとき、第１保持爪１７は、側部小径部２５ａから同図中矢印で示すように力Ｆ３を受ける。この力Ｆ３を第１保持爪１７が受けることで、保持爪９は、第１回転軸１２を回転中心として回転すると共に第１リンク部材３０が第２回転軸１３を回転中心として保持爪９の回転に連動して第１ストッパー１５から離れる方向へ回動する。また、保持爪９が第１回転軸１２を中心として回転することで、スリット２９内に係合する連結部３２Ｂがこのスリット２９の開口側へ移動する。
【００９６】
この図４９の状態からさらに容器２５を持ち上げると、図５０に示すように、第１保持爪１７が側部小径部２５ａから外れて保持爪９よるロック状態が開放される。これで、容器２５は、カップホルダー１から取り出せる。容器２５が取り出された後は、保持爪９は、元の定常状態に戻る。
【００９７】
以上のように構成された第４実施形態のカップホルダー１によれば、第１〜３実施形態と同様、保持爪９の長手方向（高さ方向）に少なくとも２箇所以上の回転軸１２、１３、３１で保持爪収容部１０内に保持爪９を回動可能に支持したので、前記保持爪９の回転安定性が向上し、大きさが異なりくびれのある容器２５でも安定して引っ掛かりなく容器２５を取り出すことができる。特に、第４実施形態では、保持爪９の長手方向に３つの回転軸１２、１３、３１を設けたので、該保持爪９の回転安定性を一層向上させることができる。また、第４実施形態のカップホルダー１では、この他、第１実施形態のカップホルダー１と同様の作用効果を得ることができる。
【００９８】
「第５実施形態」
第５実施形態では、第２実施形態と異なる構成部分のみを説明するものとし、共通部分に関しては同一の符号を付してその説明は省略するものとする。図５１は第５実施形態のカップホルダーの断面図である。
【００９９】
第５実施形態では、図１５の第２実施形態に対して第１カム溝２７及び第２カム溝２８の形状を異にした例であり、その他の構成は第２実施形態と同一である。第５実施形態の保持爪収容部１０に形成した第１カム溝２７は、容器２５の挿入取出し方向Ｘと直交する方向と平行ではなく開口１９から底部２０に向かって斜め上方へ傾斜するように形成されている。第２カム溝２７は、開口１９から底部２０に向かって斜め下方へ傾斜する第１傾斜面２８ａと、開口１９から底部２０に向かって斜め上方へ傾斜する第２傾斜面２８ｂと、底部２０から開口１９に向かって斜め上方へ傾斜する第３傾斜面２８ｃと、容器２５の挿入取出し方向Ｘと直交する水平面２８ｄとを有している。第２傾斜面２８ｂは、第１傾斜面２８ａの先端に接続され、第３傾斜面２８ｃは、第１傾斜面２８ａの後端に接続されている。水平面２８ｄは、第２傾斜面２８ｂの後端と第３傾斜面２８ｃの先端に接続されている。第２カム溝２７は、全体としてその形状を略台形状としている。
【０１００】
第５実施形態では、第２実施形態に対して第１カム溝２７と第２カム溝２８の形状が異なるのみで、容器２５をロックさせる動作に関しては第２実施形態と同様であり、また、第２実施形態と同様の効果を奏することができる。したがって、第５実施形態では、ロック手段の動作に関しての説明は省略するものとする。
【０１０１】
以上、本発明を適用した具体的な実施形態について説明したが、上述の実施形態（第１〜第５実施形態）は、本発明の一例であり、これらに限定されることはない。
【図面の簡単な説明】
【０１０２】
【図１】図１は第１実施形態のカップホルダーの全体斜視図である。
【図２】図２は図１のＡ−Ａ線断面図である。
【図３】図３は第１実施形態のカップホルダーのロック手段の分解斜視図である。
【図４】図４は第１実施形態のカップホルダーに収容保持される各種容器を示す正面図である。
【図５】図５は第１実施形態のカップホルダーに容器を挿入保持させる一連の工程を示し、容器挿入直前の断面図である。
【図６】図６は第１実施形態のカップホルダーに容器を挿入保持させる一連の工程を示し、第１保持爪に容器が接触して保持爪を回転させた状態の断面図である。
【図７】図７は第１実施形態のカップホルダーに容器を挿入保持させる一連の工程を示し、第１保持爪が容器のくぼみに入り込んだ状態の断面図である。
【図８】図８は第１実施形態のカップホルダーに容器を挿入保持させる一連の工程を示し、第１保持爪が容器のくぼみから抜け出し始める状態の断面図である。
【図９】図９は第１実施形態のカップホルダーに容器を挿入保持させる一連の工程を示し、第１保持爪と第２保持爪が容器の側部に係止して容器のホルダー本体に対するがたつきを防止した状態の断面図である。
【図１０】図１０は第１実施形態のカップホルダーから容器を取り出す一連の工程を示し、容器を取り出す直前の断面図である。
【図１１】図１１は第１実施形態のカップホルダーから容器を取り出す一連の工程を示し、第１保持爪が容器のくぼみに入り込んだ状態の断面図である。
【図１２】図１２は第１実施形態のカップホルダーから容器を取り出す一連の工程を示し、第１保持爪が容器のくぼみから抜け出し始める状態の断面図である。
【図１３】図１３は第１実施形態のカップホルダーから容器を取り出す一連の工程を示し、第１保持爪に容器が接触して保持爪を回転させた状態の断面図である。
【図１４】図１４は第１実施形態のカップホルダーから容器を取り出す一連の工程を示し、ホルダー本体からの容器の取り出し完了状態の断面図である。
【図１５】図１５は第２実施形態のカップホルダーの断面図である。
【図１６】図１６は第２実施形態のカップホルダーのロック手段の分解斜視図である。
【図１７】図１７は第２実施形態のカップホルダーに容器を挿入保持させる一連の工程を示し、容器挿入直前の断面図である。
【図１８】図１８は第２実施形態のカップホルダーに容器を挿入保持させる一連の工程を示し、第１保持爪に容器が接触して保持爪を回転させた状態の断面図である。
【図１９】図１９は第２実施形態のカップホルダーに容器を挿入保持させる一連の工程を示し、第１保持爪が容器のくぼみに入り込んだ状態の断面図である。
【図２０】図２０は第２実施形態のカップホルダーに容器を挿入保持させる一連の工程を示し、第１保持爪が容器のくぼみから抜け出し始める状態の断面図である。
【図２１】図２１は第２実施形態のカップホルダーに容器を挿入保持させる一連の工程を示し、第１保持爪と第２保持爪が容器の側部に係止して容器のホルダー本体に対するがたつきを防止した状態の断面図である。
【図２２】図２２は第２実施形態のカップホルダーから容器を取り出す一連の工程を示し、容器を取り出す直前の断面図である。
【図２３】図２３は第２実施形態のカップホルダーから容器を取り出す一連の工程を示し、第１保持爪が容器のくぼみに入り込んだ状態の断面図である。
【図２４】図２４は第２実施形態のカップホルダーから容器を取り出す一連の工程を示し、第１保持爪が容器のくぼみから抜け出し始める状態の断面図である。
【図２５】図２５は第２実施形態のカップホルダーから容器を取り出す一連の工程を示し、第１保持爪に容器が接触して保持爪を回転させた状態の断面図である。
【図２６】図２６は第２実施形態のカップホルダーから容器を取り出す一連の工程を示し、ホルダー本体からの容器の取り出し完了状態の断面図である。
【図２７】図２７は第３実施形態のカップホルダーの断面図である。
【図２８】図２８は第３実施形態のカップホルダーのロック手段の分解斜視図である。
【図２９】図２９は第３実施形態のカップホルダーに容器を挿入保持させる一連の工程を示し、容器挿入直前の断面図である。
【図３０】図３０は第３実施形態のカップホルダーに容器を挿入保持させる一連の工程を示し、第１保持爪に容器が接触して保持爪を回転させた状態の断面図である。
【図３１】図３１は第３実施形態のカップホルダーに容器を挿入保持させる一連の工程を示し、第１保持爪が容器のくぼみに入り込んだ状態の断面図である。
【図３２】図３２は第３実施形態のカップホルダーに容器を挿入保持させる一連の工程を示し、第１保持爪が容器のくぼみから抜け出し始める状態の断面図である。
【図３３】図３３は第３実施形態のカップホルダーに容器を挿入保持させる一連の工程を示し、第１保持爪と第２保持爪が容器の側部に係止して容器のホルダー本体に対するがたつきを防止した状態の断面図である。
【図３４】図３４は第３実施形態のカップホルダーから容器を取り出す一連の工程を示し、容器を取り出す直前の断面図である。
【図３５】図３５は第３実施形態のカップホルダーから容器を取り出す一連の工程を示し、第１保持爪が容器のくぼみに入り込んだ状態の断面図である。
【図３６】図３６は第３実施形態のカップホルダーから容器を取り出す一連の工程を示し、第１保持爪が容器のくぼみから抜け出し始める状態の断面図である。
【図３７】図３７は第３実施形態のカップホルダーから容器を取り出す一連の工程を示し、第１保持爪に容器が接触して保持爪を回転させた状態の断面図である。
【図３８】図３８は第３実施形態のカップホルダーから容器を取り出す一連の工程を示し、ホルダー本体からの容器の取り出し完了状態の断面図である。
【図３９】図３９は第４実施形態のカップホルダーの断面図である。
【図４０】図４０は第４実施形態のカップホルダーのロック手段の分解斜視図である。
【図４１】図４１は第４実施形態のカップホルダーに容器を挿入保持させる一連の工程を示し、容器挿入直前の断面図である。
【図４２】図４２は第４実施形態のカップホルダーに容器を挿入保持させる一連の工程を示し、第１保持爪に容器が接触して保持爪を回転させた状態の断面図である。
【図４３】図４３は第４実施形態のカップホルダーに容器を挿入保持させる一連の工程を示し、第１保持爪が容器のくぼみに入り込んだ状態の断面図である。
【図４４】図４４は第４実施形態のカップホルダーに容器を挿入保持させる一連の工程を示し、第１保持爪が容器のくぼみから抜け出し始める状態の断面図である。
【図４５】図４５は第４実施形態のカップホルダーに容器を挿入保持させる一連の工程を示し、第１保持爪と第２保持爪が容器の側部に係止して容器のホルダー本体に対するがたつきを防止した状態の断面図である。
【図４６】図４６は第４実施形態のカップホルダーから容器を取り出す一連の工程を示し、容器を取り出す直前の断面図である。
【図４７】図４７は第４実施形態のカップホルダーから容器を取り出す一連の工程を示し、第１保持爪が容器のくぼみに入り込んだ状態の断面図である。
【図４８】図４８は第４実施形態のカップホルダーから容器を取り出す一連の工程を示し、第１保持爪が容器のくぼみから抜け出し始める状態の断面図である。
【図４９】図４９は第４実施形態のカップホルダーから容器を取り出す一連の工程を示し、第１保持爪に容器が接触して保持爪を回転させた状態の断面図である。
【図５０】図５０は第４実施形態のカップホルダーから容器を取り出す一連の工程を示し、ホルダー本体からの容器の取り出し完了状態の断面図である。
【図５１】図５１は第５実施形態のカップホルダーの断面図である。
【符号の説明】
【０１０３】
１…カップホルダー
２…ホルダー本体
３…ロック手段
６…有底筒状部
８…開口部
９…保持爪
１０…保持爪収容部
１１…バネ（付勢手段）
１２…第１回転軸（回転軸）
１３…第２回転軸（回転軸）
１４…リンク部材
１５…第１ストッパー
１６…第２ストッパー
１７…第１保持爪
１８…第２保持爪
２５…容器
２５ａ…側部小径部（側部）
２５ｂ…側部大径部（側部）
２５ｃ…窪み
【図１】
2010131155.tif 000003
【図２】
2010131155.tif 000004
【図３】
2010131155.tif 000005
【図４】
2010131155.tif 000006
【図５】
2010131155.tif 000007
【図６】
2010131155.tif 000008
【図７】
2010131155.tif 000009
【図８】
2010131155.tif 000010
【図９】
2010131155.tif 000011
【図１０】
2010131155.tif 000012
【図１１】
2010131155.tif 000013
【図１２】
2010131155.tif 000014
【図１３】
2010131155.tif 000015
【図１４】
2010131155.tif 000016
【図１５】
2010131155.tif 000017
【図１６】
2010131155.tif 000018
【図１７】
2010131155.tif 000019
【図１８】
2010131155.tif 000020
【図１９】
2010131155.tif 000021
【図２０】
2010131155.tif 000022
【図２１】
2010131155.tif 000023
【図２２】
2010131155.tif 000024
【図２３】
2010131155.tif 000025
【図２４】
2010131155.tif 000026
【図２５】
2010131155.tif 000027
【図２６】
2010131155.tif 000028
【図２７】
2010131155.tif 000029
【図２８】
2010131155.tif 000030
【図２９】
2010131155.tif 000031
【図３０】
2010131155.tif 000032
【図３１】
2010131155.tif 000033
【図３２】
2010131155.tif 000034
【図３３】
2010131155.tif 000035
【図３４】
2010131155.tif 000036
【図３５】
2010131155.tif 000037
【図３６】
2010131155.tif 000038
【図３７】
2010131155.tif 000039
【図３８】
2010131155.tif 000040
【図３９】
2010131155.tif 000041
【図４０】
2010131155.tif 000042
【図４１】
2010131155.tif 000043
【図４２】
2010131155.tif 000044
【図４３】
2010131155.tif 000045
【図４４】
2010131155.tif 000046
【図４５】
2010131155.tif 000047
【図４６】
2010131155.tif 000048
【図４７】
2010131155.tif 000049
【図４８】
2010131155.tif 000050
【図４９】
2010131155.tif 000051
【図５０】
2010131155.tif 000052
【図５１】
2010131155.tif 000053